(57)【要約】  機器間通信システムにおいて周期的に発生するサービスグループのグループデータを効果的に送信するための装置及び方法を提供する。前記方法は、機器間通信サービスグループのグループデータのための固定資源が割り当てられているかどうかを確認する過程と、前記固定資源が割り当てられていない場合、前記グループデータのための固定資源を構成し、前記固定資源に対する割り当て情報を前記サービスグループに加入した少なくとも一つの加入者局に送信する過程と、前記固定資源を介して少なくとも一つの前記加入者局に前記グループデータをマルチキャストする過程とを含む。
2013537378.tif 000002
【特許請求の範囲】
【請求項１】
機器間通信システムにおける基地局の動作方法であって、
機器間通信サービスグループのグループデータのための固定資源が割り当てられているかどうかを確認する過程と、
前記固定資源が割り当てられていないと、前記グループデータのための前記固定資源を構成し、前記固定資源に対する割り当て情報を前記機器間通信サービスグループに加入した少なくとも一つの加入者局に送信する過程と、
前記固定資源を介して少なくとも一つの前記加入者局に前記グループデータをマルチキャストする過程と
を含むことを特徴とする方法。
【請求項２】
少なくとも一つの前記加入者局が前記固定資源に対する割り当て情報の受信に成功したかどうかを判断する過程と、
少なくとも一つの前記加入者局のうち、一つ以上の加入者局が前記固定資源に対する割り当て情報の受信に成功しない場合、前記固定資源に対する割り当て情報を再び送信する過程と
をさらに含むことを特徴とする請求項１に記載の方法。
【請求項３】
前記固定資源に対する割り当て情報を再び送信する過程は、
前記固定資源に対する割り当て情報の受信に成功しない少なくとも一つの加入者局に前記固定資源に対する割り当て情報をユニキャスト方式で送信する過程を含むことを特徴とする請求項２に記載の方法。
【請求項４】
前記固定資源に対する割り当て情報を再び送信する過程は、
固定資源に対する割り当て情報をマルチキャスト方式で送信する過程を含み、
前記固定資源に対する割り当て情報は再送信であることを表す情報を含むことを特徴とする請求項２に記載の方法。
【請求項５】
少なくとも一つの前記加入者局が前記固定資源に対する割り当て情報の受信に成功したかどうかを判断する過程は、
前記機器間通信サービスグループに加入した少なくとも一つの加入者局のうち、一つ以上の加入者局から前記固定資源に対する割り当て情報に対するフィードバック信号が受信されないと、少なくとも一つの加入者局が前記固定資源に対する割り当て情報の受信に成功しないことを認識する過程を含むことを特徴とする請求項２に記載の方法。
【請求項６】
前記固定資源に対する割り当て情報に対するフィードバック信号送信のためのフィードバック資源を割り当てる過程と、
前記固定資源に対する割り当て情報と共に、前記フィードバック資源に対する割り当て情報を送信する過程と
をさらに含むことを特徴とする請求項５に記載の方法。
【請求項７】
前記少なくとも一つの加入者局が前記固定資源に対する割り当て情報の受信に成功したかどうかを判断する過程は、
前記グループデータをマルチキャストした後、前記機器間通信サービスグループに加入した少なくとも一つの加入者局のうち、一つ以上の加入者局から前記グループデータに対するフィードバックデータが受信されないと、少なくとも一つの加入者局が前記固定資源に対する割り当て情報の受信に成功しないことを認識する過程を含むことを特徴とする請求項２に記載の方法。
【請求項８】
新しい加入者局がサービスグループに参加する場合、サービスグループ加入手順を介して新しい前記加入者局にサービスグループ情報を送信する過程と、
前記機器間通信サービスグループのグループデータのための固定資源が存在する場合、新しい前記加入者局に前記固定資源に対する割り当て情報を送信する過程と
をさらに含むことを特徴とする請求項１に記載の方法。
【請求項９】
前記固定資源に対する割り当て情報を前記機器間通信サービスグループに加入した少なくとも一つの加入者局に送信する過程は、
前記固定資源に対する割り当て情報を前記機器間通信サービスグループの固有のシーケンスにエンコードする過程を含むことを特徴とする請求項１に記載の方法。
【請求項１０】
前記固定資源に対する割り当て情報を前記機器間通信サービスグループに加入した少なくとも一つの加入者局に送信する過程は、
前記固定資源に対する割り当て情報に前記機器間通信サービスグループの識別子を含める過程を含むことを特徴とする請求項１に記載の方法。
【請求項１１】
機器間通信システムにおける加入者局の動作方法であって、
機器間通信サービスグループへの加入手順を介してサービスグループ情報を受信する過程と、
前記機器間通信サービスグループのグループデータのための固定資源に対する割り当て情報が受信されると、前記固定資源に対する割り当て情報を格納する過程と、
前記固定資源が含まれた区間が到着する場合、前記固定資源を介して前記グループデータを受信する過程と
を含むことを特徴とする方法。
【請求項１２】
前記固定資源に対する割り当て情報に含まれたフィードバック資源に対する割り当て情報を確認する過程と、
前記フィードバック資源を介して前記固定資源に対する割り当て情報に対するフィードバック信号を送信する過程と
をさらに含むことを特徴とする請求項１１に記載の方法。
【請求項１３】
前記グループデータを受信した後、前記グループデータに対するフィードバックデータを送信する過程をさらに含むことを特徴とする請求項１１に記載の方法。
【請求項１４】
前記固定資源に対する割り当て情報を受信した後、新しい固定資源に対する割り当て情報が受信されると、新しい前記固定資源に対する割り当て情報が予め受信されたかどうかを判断する過程と、
新しい前記固定資源に対する割り当て情報が予め受信されたものであると、新しい前記固定資源に対する割り当て情報を廃棄する過程と
をさらに含むことを特徴とする請求項１１に記載の方法。
【請求項１５】
新しい前記固定資源に対する割り当て情報が予め受信されたものであるかどうかは、前記固定資源に対する割り当て情報に含まれた再送信であるかどうかを表す情報を利用して判断されることを特徴とする請求項１４に記載の方法。
【請求項１６】
新しい前記固定資源に対する割り当て情報が予め受信されたものであるかどうかは、新しい前記固定資源に対する割り当て情報の内容を以前受信された固定資源に対する割り当て情報の内容と比較することによって判断されることを特徴とする請求項１４に記載の方法。
【請求項１７】
前記機器間通信サービスグループの情報は、前記機器間通信サービスグループの識別子及び前記機器間通信サービスグループ内で前記加入者局を識別するために割り当てられたインデックスのうち、少なくとも一つを含むことを特徴とする請求項８又は請求項１１に記載の方法。
【請求項１８】
請求項１ないし１０及び１７のうちの何れか一項に記載の方法を実施するように構成された基地局装置。
【請求項１９】
請求項１１ないし１７のうちの何れか一項に記載の一つの方法を実施するように構成された加入者局装置。
【発明の詳細な説明】
【技術分野】
【０００１】
本発明は、機器間通信システム（Ｍａｃｈｉｎｅ  ｔｏ  Ｍａｃｈｉｎｅ（Ｍ２Ｍ）  ｃｏｍｍｕｎｉｃａｔｉｏｎ  ｓｙｓｔｅｍ）に関する。特に、本発明は、機器無線通信システムにおける周期的なグループデータ通信を支援するための装置及び方法に関する。
【背景技術】
【０００２】
人の直接制御（ｈｕｍａｎ  ｉｎｔｅｒａｃｔｉｏｎ）がないか、又は制限された場合に、機器（ｄｅｖｉｃｅ）間のデータ通信を支援する機器間通信（Ｍａｃｈｉｎｅ  ｔｏ  Ｍａｃｈｉｎｅ  ｃｏｍｍｕｎｉｃａｔｉｏｎ）サービスに対する研究が進行中である。前記機器間通信サービスは、自動制御及び通信を通じて機器を管理する費用を低減しようとする目的で注目されつつあり、具体的に、車両及び車両に搭載された物品の自動化管理（ｆｌｅｅｔ  ｍａｎａｇｅｍｅｎｔ）、スマートメータリング（ｓｍａｒｔ  ｍｅｔｅｒｉｎｇ）、ホームオートメーション（ｈｏｍｅ  ａｕｔｏｍａｔｉｏｎ）、ヘルスケアなどにおいて適用できる技術としてその活用可能性が期待されている。
【０００３】
前記機器間通信システムの場合、システム設計者は、通常の通信システムの加入者局とは異なり、限定的なデータを制限された時間においてのみ送受信する機器（ｄｅｖｉｃｅ）を考慮しなければならない。例えば、スマートメータリング（ｓｍａｒｔ  ｍｅｔｅｒｉｎｇ）を行う機器は、一定時間の間隔で、例えば、１ケ月に１回のみ計量した数値をスマートメータサーバ（ｓｍａｒｔ  ｍｅｔｅｒ  ｓｅｒｖｅｒ）に送信したり、前記スマートメータサーバから１日に１回ずつメータリング情報を受信したりしてもよい。他の例として、ヘルスケア機器の場合に、前記ヘルスケア機器は、１日に１回ヘルスケアサーバ（ｈｅａｌｔｈ  ｃａｒｅ  ｓｅｒｖｅｒ）からヘルスケア情報を受信することによって、最新のヘルスケア情報を維持できる。
【０００４】
上述したように、機器間通信システムにおいて加入者局の目的及び用途によって限定的なデータを一定周期に従って送信又は受信する状況が生じる。同じ種類の加入者局が複数存在する場合、前記加入者局とも同じデータを一定周期に従って送信又は受信するようになる。この場合に、多数の加入者局が決まった時点で同じデータを送信または受信することが予想されるために、このような特性を利用して効果的に通信を行うための代案が提示されなければならない。
【発明の概要】
【発明が解決しようとする課題】
【０００５】
本発明の目的は、上述した問題点及び短所を解決するためのものであって、次のような利点のうち、少なくとも一つを提供する。したがって、本発明の目的は、機器間通信システムにおいて加入者局の定期的なデータ送受信特性を利用して効果的に通信を行うための装置及び方法を提供することにある。
【０００６】
本発明の他の目的は、機器間通信システムにおいて多数の加入者局に周期的にデータを送信するための装置及び方法を提供することにある。
【０００７】
本発明のさらに他の目的は、機器間通信システムにおいて多数の加入者局に周期的に資源を割り当てるための装置及び方法を提供することにある。
【課題を解決するための手段】
【０００８】
上記の目的を達成すべく、本発明の第１見地によれば、機器間通信システムにおける基地局の動作方法は、機器間通信サービスグループのグループデータのための固定資源が割り当てられているかどうかを確認する過程と、前記固定資源が割り当てられていない場合、前記グループデータのための固定資源を構成し、前記固定資源に対する割り当て情報を前記サービスグループに加入した少なくとも一つの加入者局に送信する過程と、前記固定資源を介して少なくとも一つの前記加入者局に前記グループデータをマルチキャストする過程とを含むことを特徴とする。
【０００９】
上記の目的を達成すべく、本発明の第２見地によれば、機器間通信システムにおける加入者局の動作方法は、機器間通信サービスグループ加入手順を介してサービスグループ情報を受信する過程と、前記サービスグループのグループデータのための固定資源に対する割り当て情報が受信されると、前記固定資源に対する割り当て情報を格納する過程と、前記固定資源が含まれた区間が到着する場合、前記固定資源を介して前記グループデータを受信する過程とを含むことを特徴とする。
【００１０】
上記の目的を達成すべく、本発明の第３見地によれば、機器間通信システムにおける基地局装置は、機器間通信サービスグループのグループデータのための固定資源が割り当てられているかどうかを確認する制御部と、前記固定資源が割り当てられていない場合、前記グループデータのための固定資源を構成し、前記固定資源に対する割り当て情報を前記サービスグループに加入した少なくとも一つの加入者局に送信し、前記固定資源を介して少なくとも一つの前記加入者局に前記グループデータをマルチキャストするモデムとを備えることを特徴とする。
【００１１】
上記の目的を達成すべく、本発明の第４見地によれば、機器間通信システムにおける加入者局装置は、機器間通信サービスグループ加入手順に従ってサービスグループ情報を受信するモデムと、前記サービスグループのグループデータのための固定資源に対する割り当て情報が受信された場合、前記固定資源に対する割り当て情報を格納する格納部と、前記固定資源が含まれた区間が到着する場合、前記固定資源を介して前記グループデータを受信するように制御する制御部とを備えることを特徴とする。
【００１２】
本発明の他の見地、利益、主要な特徴は、以下に添付された本発明の実施形態及び図面と共に説明される詳細な説明から当業者にとって明らかに認識されるはずである。
【００１３】
本発明の実施形態にかかる本発明の上述した見地及び他の見地、特徴、利益は、次のような図面と共に説明される詳細な説明から明らかに認識されるはずである。
【図面の簡単な説明】
【００１４】
【図１】図１は、本発明の実施形態にかかる機器間通信システム（Ｍａｃｈｉｎｅ  ｔｏ  Ｍａｃｈｉｎｅ  ｃｏｍｍｕｎｉｃａｔｉｏｎ  ｓｙｓｔｅｍ）の概略的な構成を示す図である。
【図２】図２は、本発明の実施形態にかかる機器間通信システムにおけるグループデータを送受信する加入者局及び基地局の信号交換を示す図である。
【図３】図３は、本発明の実施形態にかかる機器間通信システムにおけるグループデータを送受信する基地局及びサーバの信号交換を示す図である。
【図４】図４は、本発明の第１の実施形態にかかる機器間通信システムにおける基地局の動作手順を示す図である。
【図５】図５は、本発明の第２の実施形態にかかる機器間通信システムにおける基地局の動作手順を示す図である。
【図６】図６は、本発明の第１の実施形態にかかる機器間通信システムにおける加入者局の動作手順を示す図である。
【図７】図７は、本発明の第２の実施形態にかかる機器間通信システムにおける加入者局の動作手順を示す図である。
【図８】図８は、本発明の実施形態にかかる機器間通信システムにおける基地局のブロック構成を示す図である。
【図９】図９は、本発明の実施形態にかかる機器間通信システムにおける加入者局のブロック構成を示す図である。
【発明を実施するための形態】
【００１５】
前記図において、参照番号は、同一または類似の要素、特徴、構造を説明するために使用される。
【００１６】
以下、図面を参考した説明は、請求の範囲及びこれと同等なものにより定義される本発明の実施形態の包括的な理解を助けるために提供される。以下の説明は、理解を助けるために多様な具体的な細部事項を含むが、ただの例示に過ぎない。したがって、本発明の思想や範囲から逸脱しない限度内で実施形態の多様な変形及び修正が可能であることはもちろんである。また、広く知られた機能及び構造の説明は、明確性のために省略されるはずである。
【００１７】
以下、本発明の実施形態は、機器間通信システムにおける多数の加入者局にデータを周期的に送信するための技術について説明する。
【００１８】
図１は、本発明の実施形態にかかる機器間通信システムの概略的な構成を示している。
【００１９】
前記図１に示すように、前記機器間通信システムは、機器間通信を支援するＭ２Ｍ加入者局（Ｍ２Ｍ  Ｓｕｂｓｃｒｉｂｅｒ  Ｓｔａｔｉｏｎ）１１０、機器間通信を支援するＭ２Ｍ基地局（Ｍ２Ｍ  Ｂａｓｅ  Ｓｔａｔｉｏｎ）１２０、アクセスサービスネットワークゲートウェイ（ＡＳＮ−ＧＷ：Ａｃｃｅｓｓ  Ｓｅｒｖｉｃｅ  Ｎｅｔｗｏｒｋ  ＧａｔｅＷａｙ）１３０、接続サービスネットワーク（ＣＳＮ：Ｃｏｎｎｅｃｔｅｄ  Ｓｅｒｖｉｃｅ  Ｎｅｔｗｏｒｋ）１４０、Ｍ２Ｍサーバ（Ｍ２Ｍ  ｓｅｒｖｅｒ）１５０を備える。
【００２０】
前記Ｍ２Ｍ加入者局１１０は、ユーザの介入無しで通信を行う機器であって、機器間通信に必要なアプリケーションプログラムが搭載された加入者局である。前記Ｍ２Ｍ基地局１２０及び前記ＡＳＮ−ＧＷ１３０は、前記Ｍ２Ｍ加入者局１１０及び前記Ｍ２Ｍサーバ１５０間の通信のための無線アクセスポイントを提供する。前記Ｍ２Ｍ基地局１２０は、Ｍ２Ｍ加入者局１１０と前記Ｍ２Ｍサーバ１５０との間の通信に必要な無線資源を制御する。前記ＣＳＮ１４０は、前記Ｍ２Ｍ加入者局１１０にユーザ側接続サービスを提供する。前記Ｍ２Ｍサーバ１５０は、一つあるいは多数の前記Ｍ２Ｍ加入者局１１０と通信を行う。前記Ｍ２Ｍサーバ１５０は、機器間通信に必要なアプリケーションプログラムを含み、ユーザが前記Ｍ２Ｍサーバ１５０に接続できるインタフェースを含んでいる。前記図１において、前記Ｍ２Ｍサーバ１５０は、前記ＣＳＮ１４０とは別途のエンティティとして示されているが、前記Ｍ２Ｍサーバ１５０は、システム運用に応じて前記ＣＳＮ１４０に備えられることができる。
【００２１】
前記機器間通信システムにおいて前記Ｍ２Ｍ加入者局１１０及び前記Ｍ２Ｍ基地局１２０間の無線インタフェースは、既存の通信規格に従うか、又は機器間通信システムのために考案された通信規格に従うことができる。例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システム規格が採用されることができる。この場合、前記Ｍ２Ｍ加入者局１１０は、前記ＩＥＥＥ  ８０２．１６通信システムに定義された移動端末（ｍｏｂｉｌｅ  ｓｔａｔｉｏｎ）と同様に動作できる。以下、本発明の実施形態は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式の無線インタフェースを例に挙げて説明する。
【００２２】
図２は、本発明の実施形態にかかる機器間通信システムにおけるグループデータを送受信する加入者局及び基地局の信号交換過程を示している。
【００２３】
前記図２に示すように、Ｍ２Ｍ加入者局２００は、機器間通信（Ｍ２Ｍ）サービスグループに加入する手順を進行する過程中にＭ２Ｍ基地局２５０から前記機器間通信サービスグループの情報を受信する（２０１）。前記サービスグループ加入手順は、前記Ｍ２Ｍ加入者局２００が前記Ｍ２Ｍ基地局２５０にＭ２Ｍサーバが提供するサービスを受けるために該当グループに加入する手順であって、ネットワークエントリ手順またはサービスフロー生成手順内で送信されるメッセージにサービスグループ加入を指示する情報を挿入することによって行われる。例えば、前記サービスグループ加入手順は、ネットワークエントリの際に使用される登録メッセージまたはサービスフロー生成（ｓｅｒｖｉｃｅ  ｆｌｏｗ  ｃｒｅａｔｉｏｎ）の際に使用されるダイナミックサービス追加要請（ＤＳＡ−ＲＥＱ：Ｄｙｎａｍｉｃ  Ｓｅｒｖｉｃｅ  Ａｄｄｉｔｉｏｎ  Ｒｅｑｕｅｓｔ）メッセージを利用できる。前記機器間通信サービスグループの情報は、前記機器間通信サービスグループ識別子（ＩＤ：ＩＤｅｎｔｉｆｉｅｒ）及び前記Ｍ２Ｍ加入者局２００に割り当てられたインデックスなどを含む。前記インデックスは、前記機器間通信サービスグループ内で前記Ｍ２Ｍ加入者局２００を識別する目的として使用され、前記グループに属した加入者局に割り当てられるフィードバックチャネルのうち、前記Ｍ２Ｍ加入者局２００のフィードバックチャネルの位置を識別するために使用される。例えば、前記フィードバックチャネルは、ＨＡＲＱ（Ｈｙｂｒｉｄ  Ａｕｔｏｍａｔｉｃ  Ｒｅｐｅａｔ  ｒｅＱｕｅｓｔ）チャネルでありうる。
【００２４】
前記Ｍ２Ｍ基地局２５０は、前記Ｍ２Ｍ加入者局２００が加入した機器間通信サービスグループに送信するグループデータのために固定された位置において周期的に割り当てられる資源を利用する。以下、説明の便宜のために、本発明は、前記「固定された位置において周期的に割り当てられる資源」を「固定資源」と称する。このために、前記Ｍ２Ｍ基地局２５０は、前記Ｍ２Ｍ加入者局２００及び前記機器間通信サービスグループに属した他の加入者局に固定資源割り当て情報を送信する（２０３）。前記固定資源割り当て情報は、マルチキャスト固定割り当てマップＩＥ（ｍｕｌｔｉｃａｓｔ  Ｐｅｒｓｉｓｔｅｎｔ  Ａｌｌｏｃａｔｉｏｎ  ＭＡＰ  Ｉｎｆｏｒｍａｔｉｏｎ  Ｅｌｅｍｅｎｔ）と呼ぶことができる。前記固定資源割り当て情報は、前記機器間通信サービスグループに属したすべての加入者局に一定周期に従って送信されるマルチキャストデータが存在する場合に前記データを運搬する資源の割り当て情報を指示する用途として使用する。前記固定資源割り当て情報は、前記データに対する資源割り当て情報、すなわち、資源の位置またはデータの送信周期が変更される場合を除くと、前記データを送信する前に１回送信され、前記機器間通信サービスグループに属したすべての加入者局が受信することができる形態で送信、換言すればマルチキャスト（ｍｕｌｔｉｃａｓｔｉｎｇ）される。例えば、資源割り当て情報を受信加入者局に割り当てられた固有シーケンス（ｓｅｑｕｅｎｃｅ）にスクランブル（ｓｃｒａｍｂｌｉｎｇ）またはＣＲＣ（Ｃｙｃｌｉｃ  Ｒｅｄａｎｄｕｎｃｙ  Ｃｈｅｃｋ）コーディングするシステムの場合、前記固定資源割り当て情報は、グループに属した加入者局が共有するシーケンスが使用される。換言すれば、前記固定資源割り当て情報が機器間通信サービスグループに属した多数の加入者局にマルチキャストされる場合、前記固定資源割り当て情報は、サービスグループの識別子にエンコードされる。例えば、前記固定資源割り当て情報は、下記の表１Ａおよび表１Ｂのように構成されることができる。
【００２５】
【表１Ａ】
2013537378.tif 000003
【００２６】
【表１Ｂ】
2013537378.tif 000004
【００２７】
前記固定資源割り当て情報は、既に割り当てられた固定資源を解除する用途あるいは新しい固定資源を割り当てる用途として使用される。また、前記表１Ａおよび前記表１Ｂに示したように、新しい前記固定資源が割り当てられる場合、前記固定資源割り当て情報は、前記固定資源が割り当てられる周期情報を含み、割り当てられる固定資源の情報及び前記固定資源を介して送信するデータに適用するＭＩＭＯ（Ｍｕｌｔｉｐｌｅ  Ｉｎｐｕｔ  Ｍｕｌｔｉｐｌｅ  Ｏｕｔｐｕｔ）モードに対する情報を含む。
【００２８】
前記表１Ａおよび前記表１Ｂは、資源割り当て情報を受信加入者局に割り当てられた固有シーケンスにエンコードするシステムを仮定した場合の固定資源割り当て情報を示す。これにより、前記表１Ａおよび前記表１Ｂに示した固定資源割り当て情報は、グループを知らせる情報を含まない。しかしながら、本発明の他の実施形態によって、本発明は、資源割り当て情報内に受信者に対する情報を含めるシステムにも適用されることができる。この場合、前記固定資源割り当て情報は、表１Ａおよび表１Ｂに示した項目に加えて、グループを指示する情報、すなわち、グループ識別子をさらに含む。この場合、前記Ｍ２Ｍ加入者局２００は、前記固定資源割り当て情報に自身が属したグループのグループ識別子が含まれたかどうかに応じて、固定資源割り当て情報の受信の成功の有無を判断できる。
【００２９】
前記固定資源割り当て情報を受信した前記Ｍ２Ｍ加入者局２００は、前記固定資源割り当て情報の受信に成功したことを知らせるフィードバック信号を前記Ｍ２Ｍ基地局２５０に送信する（２０５）。例えば、前記フィードバック信号は、ＨＡＲＱＡＣＫ（Ａｃｋｎｏｗｌｅｄｇｅ）でありうる。このとき、前記固定資源割り当て情報に対するフィードバック信号を送信するための資源割り当て情報は、前記ステップ２０３にて送信された固定資源割り当て情報に含まれる。以下、説明の便宜のために、本発明は、前記「固定資源割り当て情報に対するフィードバック信号を送信するための資源」を「フィードバック資源」と称する。
【００３０】
例えば、前記表１Ａおよび前記表１Ｂのような固定資源割り当て情報は、下記の表２のようなフィードバック資源割り当て情報を含むことができる。
【００３１】
【表２】
2013537378.tif 000005
【００３２】
前記表２に示したように、前記フィードバック資源割り当て情報は、ＨＡＲＱチャネルの開始点、前記ＨＡＲＱチャネル大きさ、ＨＡＲＱチャネル個数を含む。前記表２に従って割り当てたＨＡＲＱチャネル領域において前記Ｍ２Ｍ加入者局２００に割り当てられたＨＡＲＱチャネルの位置は、前記ステップ２０１にて送信されたサービスグループ情報に含まれたインデックスにより識別される。すなわち、前記ＨＡＲＱチャネル領域には、前記インデックスの順序に応じて加入者局のＨＡＲＱチャネルが順次に位置する。したがって、前記Ｍ２Ｍ加入者局２００は、自身のインデックスにより指示されるＨＡＲＱチャネルを介して前記フィードバック信号を送信する。
【００３３】
以後、前記Ｍ２Ｍ基地局２５０は、前記固定資源割り当て情報により指示される資源を利用して、前記機器間通信サービスグループに属した加入者局にグループのためのマルチキャストデータを送信する（２０７−１）。以下、説明の便宜のために、本発明は、前記「グループのためのマルチキャストデータ」を「グループデータ」と称する。前記グループデータが時間Ｔの周期で前記機器間通信サービスグループのすべての加入者局に送信するマルチキャストデータと仮定するとき、前記Ｍ２Ｍ基地局２５０は、前記時間Ｔごとに前記固定資源割り当て情報により指示される資源を利用して、前記グループデータを送信する（２０７−２、２０７−３）。
【００３４】
前記図２において、前記Ｍ２Ｍ基地局２５０は、前記固定資源割り当て情報をグループ内のすべての加入者局が受信することができる形態で送信する。しかし、前記Ｍ２Ｍ加入者局２００が前記機器間通信サービスグループに加入するに先立って、前記固定資源割り当て情報が少なくとも１回送信された場合、前記固定資源割り当て情報がグループ内のすべての加入者局に必ず受信されなければならないというわけではない。したがって、この場合、前記Ｍ２Ｍ基地局２５０は、前記固定資源割り当て情報をユニキャスト（ｕｎｉｃａｓｔ）方式で前記Ｍ２Ｍ加入者局２００に提供できる。すなわち、前記固定資源割り当て情報がマルチキャストされる場合、前記固定資源割り当て情報は、サービスグループの識別子にエンコードされるが、特定加入者局にユニキャストされる場合、前記固定資源割り当て情報は、前記特定加入者局の識別子にエンコードされる。
【００３５】
また、本発明の他の実施形態によって、前記Ｍ２Ｍ加入者局２００が前記機器間通信サービスグループに加入するに先立って、前記固定資源割り当て情報が少なくとも１回送信された場合、前記Ｍ２Ｍ基地局２５０は、前記固定資源割り当て情報を多数の加入者局が受信することができる形態でマルチキャストするものの、再送信であることを知らせる情報を含めることができる。これにより、予め固定資源割り当て情報を受信した他の加入者局は、再送信された固定資源割り当て情報を無視できる。例えば、前記再送信であるかどうかを知らせる情報は、下記の表３のように構成されることができる。
【００３６】
【表３】
2013537378.tif 000006
【００３７】
前記表３のような初期送信指示子（ｉｎｉｔｉａｌ  ｔｒａｎｓｍｉｓｓｉｏｎ  ｉｎｄｉｃａｔｏｒ）が含まれた場合、加入者局は、受信された固定資源割り当て情報が最初の送信か、または再送信かが分かる。最初に送信された固定資源割り当て情報を受信した場合、加入者局は、最初に送信された前記固定資源割り当て情報を最新の情報として格納する。再送信された固定資源割り当て情報を受信した場合、最初に送信された固定資源割り当て情報を受信したことがある加入者局は、再送信された固定資源割り当て情報を無視し、最初に送信された固定資源割り当て情報を受信したことがない加入者局は、前記再送信された固定資源割り当て情報を最新の情報として格納する。最初に送信された前記固定資源割り当て情報を受信したことがある加入者局は、再送信された固定資源割り当て情報をデコード（ｄｅｃｏｄｉｎｇ）する必要がないので、不必要な電力消費及び演算を省略できる。
【００３８】
前記図２において、加入者局は、基地局が提供した固定資源割り当て情報に対してＨＡＲＱチャネルを介してフィードバック信号を送信する。これは、固定資源割り当て情報を受信しない場合、以後周期的に送信されるグループデータを全部受信することができなくなるために、基地局で受信の失敗を認識するためである。しかしながら、本発明の他の実施形態によって、前記加入者局が前記グループデータに対するフィードバックメッセージを送信できる。この場合、前記加入者局は、前記固定資源割り当て情報の受信に応じてフィードバック信号を送信せず、以後周期的に送信されるグループデータの受信に応じてフィードバックデータを送信できる。これにより、前記フィードバックデータを送信しない加入者局が存在する場合、基地局は、前記固定資源割り当て情報を再び送信する。
【００３９】
図３は、本発明の実施形態にかかる機器間通信システムにおけるグループデータを送受信する基地局及びサーバの信号交換を示している。
【００４０】
前記図３に示すように、Ｍ２Ｍ基地局３５０は、加入者局とのサービスグループ加入手順のうち、上位システムを介して前記加入者局の情報を含むサービス情報要請メッセージをＭ２Ｍサーバ３００に送信する（３０１）。ここで、前記上位システムは、ＡＳＮ−ＧＷ、ＣＳＮなどを含む意味である。
【００４１】
前記サービス情報要請メッセージを受信した前記Ｍ２Ｍサーバ３００は、前記加入者局が加入しようとする機器間通信サービスグループ情報を前記上位システムを介して前記Ｍ２Ｍ基地局３５０に提供する（３０３）。前記機器間通信サービスグループ情報は、前記グループに周期的に送信されるグループデータがあるかどうか、前記グループデータの大きさ、前記グループデータの送信周期などを含むことができる。グループ識別子は、前記Ｍ２Ｍサーバ３００により管理されるか、または前記Ｍ２Ｍ基地局３５０により管理される。前記グループ識別子が前記Ｍ２Ｍサーバ３００により管理される場合、前記Ｍ２Ｍサーバ３００から前記Ｍ２Ｍ基地局３５０に送信される前記機器間通信サービスグループ情報は、前記グループ識別子を含む。
【００４２】
前記Ｍ２Ｍサーバ３００は、ステップ３０３にて提供した情報、すなわち、前記グループデータの送信周期に応じて前記Ｍ２Ｍ基地局３５０にグループデータを伝達し、前記グループデータのマルチキャストを要請する（ステップ３０５−１ないし３０５−３）。
【００４３】
以下、本発明は、上述したようにグループデータを周期的に送受信する基地局及び加入者局の動作及び構成について説明する。
【００４４】
図４は、本発明の第１の実施形態にかかる機器間通信システムにおける基地局の動作手順を示している。前記図４は、フィードバックチャネルを介して固定資源割り当て情報に対するフィードバック信号が送信される場合の実施形態にかかる基地局の動作手順を示している。
【００４５】
前記図４に示すように、前記基地局は、ステップ４０１にてサーバからグループデータの送信要請が受信されるかどうかを判断する。前記グループデータ送信要請は、前記図３において前記基地局が上位システムを介して前記サーバからのグループデータの送信周期、グループデータの大きさなどに対する情報を受信した後、グループデータを受信する動作を含む。
【００４６】
前記グループデータ送信要請が受信された場合、前記基地局は、ステップ４０３に進んで前記グループデータを送信する固定資源が割り当てられたかどうかを判断する。換言すれば、前記基地局は、前記グループデータの送信のための資源が固定割り当てられているか、そして、前記グループデータの送信のための資源を指示する固定資源割り当て情報が該当グループの加入者局に送信されたことがあるかどうかを判断する。前記グループデータのための固定資源が存在しない場合、前記基地局は、ステップ４０７に進む。
【００４７】
前記グループデータのための固定資源が存在する場合、前記基地局は、ステップ４０５に進んで前記グループデータのための固定資源が変更されたか、または変更が必要であるかを判断する。例えば、前記固定資源の変更は、前記固定資源の割り当て周期の増減、前記固定資源の位置移動、前記固定資源の大きさ増減のうち、少なくとも一つを含む。ここで、前記固定資源の位置移動は、前記基地局の資源運用に応じて起きることができ、前記固定資源の大きさ増減は、グループデータの量の変化またはグループデータに適用される変調（Ｍｏｄｕｌａｔｉｏｎ）技法またはコーディング（ｃｏｄｉｎｇ）技法の変化に応じて起きることができる。固定資源の変更が必要でない場合、前記基地局は、ステップ４１３に進む。
【００４８】
固定資源の変更が必要であるか、又は前記ステップ４０３にて固定資源が存在しない場合、前記基地局は、ステップ４０７に進んで前記グループデータのための固定資源を構成し、前記固定資源割り当て情報、例えば、固定割り当てマップを送信する。例えば、前記固定割り当てマップは、前記表１Ａおよび前記表１Ｂのように構成されることができる。このとき、前記基地局は、前記固定割り当てマップに対するフィードバック信号を送信するための資源割り当て情報を共に送信する。例えば、フィードバック資源割り当て情報は、前記表２のように構成されることができる。前記表１Ａおよび前記表１Ｂは、資源割り当て情報を受信加入者局に割り当てられた固有シーケンスにエンコードするシステムを仮定した固定割り当てマップの例示である。したがって、本発明の他の実施形態によって、資源割り当て情報内に受信者に対する情報を含めるシステムの場合、前記固定割り当てマップは、グループを指示する情報、すなわち、グループ識別子をさらに含む。
【００４９】
次に、前記基地局は、ステップ４０９に進んでＮＡＫ（Ｎｏｎ  Ａｃｋｎｏｗｌｅｄｇｅ）が発生しているかどうかを判断する。ここで、前記ＮＡＫの発生は、明示的に受信失敗を表すフィードバック信号が受信される場合、または少なくとも一つの加入者局から受信成功を表すフィードバック信号が受信されない場合を指示する。前記基地局は、加入者局が前記固定割り当てマップの受信に失敗するかどうかを判断する。前記ＮＡＫが発生しない場合、前記基地局は、ステップ４１３に進む。
【００５０】
前記ＮＡＫが発生した場合、前記基地局は、ステップ４１１に進んで前記固定割り当てマップを受信していない加入者局のために前記固定割り当てマップを再び送信し、前記加入者局のためのフィードバック資源を割り当てる。ここで、前記固定割り当てマップの再送信は、前記加入者局へのユニキャスト送信であるか、またはマルチキャスト送信であるものの、再送信であることを知らせる情報を含む送信でありうる。例えば、前記ユニキャストの場合、前記基地局は、前記固定割り当てマップを前記加入者局の識別子にエンコードする。前記マルチキャストの場合、前記基地局は、前記再送信であることを知らせる情報を含む前記固定割り当てマップをグループ内の加入者局が共有する識別子、例えば、グループ識別子にエンコードする。ここで、前記エンコードは、スクランブル及びＣＲＣコーディングのうち、少なくとも一つを含む。以後、前記基地局は、ステップ４０９に戻ってＮＡＫが発生しているかどうかを判断する。
【００５１】
前記ステップ４０９にてＮＡＫが発生しないか、又は前記ステップ４０５にて固定資源の変更が必要でない場合、前記基地局は、ステップ４１３に進んで前記固定割り当てマップにより指示される資源を利用して、前記サーバから受信されたグループデータをマルチキャストする。
【００５２】
前記ステップ４０１にて前記グループデータ送信要請が受信されない場合、前記基地局は、ステップ４１５に進んで新しいＭ２Ｍ加入者局がサービスグループに参加しているかどうかを判断する。換言すれば、前記基地局は、新しい加入者局がサービスグループ加入手順を始めるかどうかを判断する。例えば、前記サービスグループ加入手順は、ネットワークエントリ手順またはサービスフロー生成手順内で送信されるメッセージにサービスグループ加入を指示する情報を挿入することによって行われる。
【００５３】
新しい前記加入者局がグループに参加する場合、前記基地局は、ステップ４１７に進んで新しい前記加入者局にサービスグループ情報を提供する。すなわち、前記基地局は、前記サーバにサービスグループ情報を要請し、前記サーバから前記サービスグループ情報を受信した後、新しい前記加入者局に前記サービスグループ情報を提供する。ここで、前記サーバから提供されるサービスグループ情報は、前記グループに周期的に送信されるグループデータがあるかどうか、前記グループデータの大きさ、前記グループデータの送信周期などを含むことができる。また、前記加入者局に提供されるサービスグループ情報は、サービスグループ識別子及び前記加入者局に割り当てられたインデックスを含むことができる。
【００５４】
次に、前記基地局は、ステップ４１９に進んで前記サービスグループに対する固定割り当てが提供されるかどうかを判断する。換言すれば、前記基地局は、前記サービスグループから周期的に送信されるグループデータが存在しているかどうか、存在するならば前記グループデータのための資源が固定割り当てられているかどうかを判断する。前記サービスグループに対する固定割り当てが提供されない場合、前記基地局は、ステップ４０１に戻る。
【００５５】
前記サービスグループに対する固定割り当てが提供されている場合、前記基地局は、ステップ４２１に進んで新しい前記加入者局に固定資源情報、すなわち、固定割り当てマップを送信し、前記加入者局のためのフィードバック資源を割り当てる。このとき、前記固定割り当てマップは、マルチキャスト後にＮＡＫ発生に応じて再送信される場合と同じ形態で送信される。すなわち、前記固定割り当てマップの送信は、新しい前記加入者局へのユニキャスト送信であるか、またはマルチキャスト送信であるものの再送信であることを知らせる情報を含む送信でありうる。例えば、前記ユニキャストの場合、前記基地局は、前記固定割り当てマップを新しい前記加入者局の識別子にエンコードする。前記マルチキャストの場合、前記基地局は、前記再送信であることを知らせる情報を含む前記固定割り当てマップをグループ内の加入者局が共有する識別子、例えば、グループ識別子にエンコードする。ここで、前記エンコードは、スクランブル及びＣＲＣコーディングのうち、少なくとも一つを含む。
【００５６】
次に、前記基地局は、ステップ４２１に進んでＮＡＫが発生しているかどうかを判断する。ここで、前記ＮＡＫの発生は、明示的に受信失敗を表すフィードバック信号が受信される場合、または新しい前記加入者局から受信成功を表すフィードバック信号が受信されない場合を意味する。すなわち、前記基地局は、新しい前記加入者局が前記固定割り当てマップを受信するかどうかを判断する。前記ＮＡＫが発生しない場合、前記基地局は、前記ステップ４０１に戻る。
【００５７】
前記ＮＡＫが発生した場合、前記基地局は、ステップ４２５に進んで新しい前記加入者局のために前記固定割り当てマップを再送信し、前記加入者局のためのフィードバック資源を割り当てる。このとき、前記固定割り当てマップの再送信は、新しい前記加入者局へのユニキャスト送信であるか、またはマルチキャスト送信であるものの再送信であることを知らせる情報を含む送信でありうる。例えば、前記ユニキャストの場合、前記基地局は、前記固定割り当てマップを新しい前記加入者局の識別子にエンコードする。前記マルチキャストの場合、前記基地局は、前記再送信であることを知らせる情報を含む前記固定割り当てマップをグループ内の加入者局が共有する識別子、例えば、グループ識別子にエンコードする。ここで、前記エンコードは、スクランブル及びＣＲＣコーディングのうち、少なくとも一つを含む。
【００５８】
前記図４を参考して説明した実施形態において、前記グループデータは、ダウンリンクデータであると仮定した。しかしながら、前記グループデータは、Ｍ２Ｍ加入者局がＭ２Ｍサーバに提供するためのアップリンクデータでありうる。この場合、前記固定割り当てマップは、アップリンク資源の固定割り当てに対する情報を含み、前記ステップ４１３は、グループデータを受信する動作に代替される。
【００５９】
図５は、本発明の第２の実施形態にかかる機器間通信システムにおける基地局の動作手順を示している。前記図５は、グループデータに対するフィードバックデータが送信される場合の実施形態にかかる基地局の動作手順を示している。
【００６０】
前記図５に示すように、前記基地局は、ステップ５０１にてサーバからグループデータ送信要請が受信されているかどうかを判断する。前記グループデータ送信要請は、前記図３において前記基地局が上位システムを介して前記サーバからのグループデータの送信周期、グループデータの大きさなどに対する情報を受信した後、グループデータを受信する動作を含む。
【００６１】
前記グループデータの送信要請が受信される場合、前記基地局は、ステップ５０３に進んで前記グループデータを送信する固定資源が割り当てられたかどうかを判断する。換言すれば、前記基地局は、前記グループデータの送信のための資源が固定割り当てられているか、そして、前記グループデータの送信のための資源を指示する固定資源割り当て情報が該当グループの加入者局に送信されたことがあるかどうかを判断する。前記グループデータのための固定資源が存在しない場合、前記基地局は、ステップ５０７に進む。
【００６２】
前記グループデータのための固定資源が存在する場合、前記基地局は、ステップ５０５に進んで前記グループデータのための固定資源が変更されたか、または変更が必要であるかを判断する。例えば、前記固定資源の変更は、前記固定資源の割り当て周期の増減、前記固定資源の位置移動、前記固定資源の大きさ増減のうち、少なくとも一つを含む。ここで、前記固定資源の位置移動は、前記基地局の資源運用に応じて起きることができ、前記固定資源の大きさ増減は、グループデータの量変化またはグループデータに適用される変調（Ｍｏｄｕｌａｔｉｏｎ）技法またはコーディング（ｃｏｄｉｎｇ）技法の変化に応じて起きることができる。固定資源の変更が必要でない場合、前記基地局は、ステップ５０９に進む。
【００６３】
固定資源の変更が必要であるか、または前記ステップ５０３にて固定資源が存在しない場合、前記基地局は、ステップ５０７に進んで前記グループデータのための固定資源を構成し、前記固定資源割り当て情報、例えば、固定割り当てマップを送信する。例えば、前記固定割り当てマップは、前記表１Ａおよび前記表１Ｂのように構成されることができる。前記表１Ａおよび前記表１Ｂは、資源割り当て情報を受信加入者局に割り当てられた固有シーケンスにエンコードするシステムを仮定した固定割り当てマップの例示である。したがって、本発明の他の実施形態によって、資源割り当て情報内に受信者に対する情報を含めるシステムの場合、前記固定割り当てマップは、グループを指示する情報、すなわち、グループ識別子をさらに含む。
【００６４】
次に、前記基地局は、ステップ５０９に進んで前記固定割り当てマップにより指示される資源を利用して、前記サーバから受信されたグループデータをマルチキャストする。このとき、前記基地局は、前記グループデータに対するフィードバックを要請する。ただ、前記グループデータに対するフィードバックが前記基地局及び加入者局間の予め定義されたプロトコル（ｐｒｏｔｏｃｏｌ）に従って行われる場合、前記フィードバック要請は省略されることができる。
【００６５】
以後、前記基地局は、ステップ５１１に進んで前記サービスグループに属したすべての加入者局から前記グループデータに対するフィードバックデータが受信されているかどうかを判断する。換言すれば、前記基地局は、少なくとも一つの加入者局に対してフィードバックの未受信が発生しているかどうかを判断する。ここで、前記フィードバックデータは、コンテンツ（ｃｏｎｔｅｎｔｓ）を含まない受信成功を表すビットストリームであるか、または前記グループデータに相応する情報性を有するデータでありうる。すべてのフィードバック受信された場合、前記基地局は、ステップ５０１に戻る。
【００６６】
前記基地局がすべての加入者局からのフィードバックを受信しない場合、前記基地局は、ステップ５１３に進んで前記フィードバックデータを送信しない加入者局が前記固定割り当てマップの受信を失敗したと判断し、前記加入者局のために前記固定割り当てマップを再送信する。ここで、前記固定割り当てマップの再送信は、前記加入者局へのユニキャスト送信であるか、またはマルチキャスト送信であるものの再送信であることを知らせる情報を含む送信でありうる。例えば、前記ユニキャストの場合、前記基地局は、前記固定割り当てマップを前記加入者局の識別子にエンコードする。前記マルチキャストの場合、前記基地局は、前記再送信であることを知らせる情報を含む前記固定割り当てマップをグループ内の加入者局が共有する識別子、例えば、グループ識別子にエンコードする。前記エンコードは、スクランブル及びＣＲＣコーディングのうち、少なくとも一つを含む。以後、前記基地局は、ステップ５０１に戻る。
【００６７】
前記ステップ５０１にて前記グループデータの送信要請が受信されない場合、前記基地局は、ステップ５１５に進んで新しいＭ２Ｍ加入者局がサービスグループに参加しているかどうかを判断する。換言すれば、前記基地局は、新しい加入者局がサービスグループ加入手順を始めるかどうかを判断する。例えば、前記サービスグループ加入手順は、ネットワークエントリ手順またはサービスフロー生成手順内で送信されるメッセージにサービスグループ加入を指示する情報を挿入することによって行われる。
【００６８】
新しい前記加入者局がグループに参加する場合、前記基地局は、ステップ５１７に進んで新しい前記加入者局にサービスグループ情報を提供する。すなわち、前記基地局は、前記サーバにサービスグループ情報を要請し、前記サーバから前記サービスグループ情報を受信した後、新しい前記加入者局に前記サービスグループ情報を提供する。ここで、前記サーバから提供されるサービスグループ情報は、前記グループに周期的に送信されるグループデータがあるかどうか、前記グループデータの大きさ、前記グループデータの送信周期などを含むことができる。また、前記加入者局に提供されるサービスグループ情報は、サービスグループ識別子及び前記加入者局に割り当てられたインデックスを含むことができる。
【００６９】
次に、前記基地局は、ステップ５１９に進んで前記サービスグループに対する固定割り当てが提供されているかどうかを判断する。換言すれば、前記基地局は、前記サービスグループから周期的に送信されるグループデータが存在しているかどうか判断する。存在する場合、前記グループデータのための資源が固定割り当てられているかどうかを判断する。前記サービスグループに対する固定割り当てが提供されない場合、前記基地局は、ステップ５０１に戻る。
【００７０】
前記サービスグループに対する固定割り当てが提供されている場合、前記基地局は、ステップ５２１に進んで新しい前記加入者局に固定資源情報、すなわち、固定割り当てマップを送信する。このとき、前記固定割り当てマップは、前記ステップ５１３にて特定加入者局のために送信される場合と同じ形態で送信される。すなわち、前記固定割り当てマップの送信は、新しい前記加入者局へのユニキャスト送信であるか、またはマルチキャスト送信であるものの再送信であることを知らせる情報を含む送信でありうる。例えば、前記ユニキャストの場合、前記基地局は、前記固定割り当てマップを新しい前記加入者局の識別子にエンコードする。前記マルチキャストの場合、前記基地局は、前記再送信であることを知らせる情報を含む前記固定割り当てマップをグループ内の加入者局が共有する識別子、例えば、グループ識別子にエンコードする。ここで、前記エンコードは、スクランブル及びＣＲＣコーディングのうち、少なくとも一つを含む。以後、前記基地局は、ステップ５０１に戻る。
【００７１】
前記図５を参考して説明した実施形態において、前記グループデータは、ダウンリンクデータであると仮定した。しかしながら、前記グループデータは、Ｍ２Ｍ加入者局がＭ２Ｍサーバに提供するためのアップリンクデータでありうる。この場合、前記固定割り当てマップは、アップリンク資源の固定割り当てに対する情報を含み、前記ステップ５０９は、グループデータを受信する動作に代替される。また、グループデータがアップリンクデータであるから、前記固定割り当てマップの受信有無を確認するためのフィードバックデータは不必要であり、前記グループデータが前記フィードバックデータの機能を代替する。
【００７２】
図６は、本発明の第１の実施形態にかかる機器間通信システムにおける加入者局の動作手順を示している。前記図６は、フィードバックチャネルを介して固定資源割り当て情報に対するフィードバック信号が送信される場合の実施形態にかかる加入者局の動作手順を示している。
【００７３】
前記図６に示すように、前記加入者局は、ステップ６０１にて機器間通信サービスグループ加入手順を介してサービスグループ情報を受信する。ここで、前記サービスグループ情報は、前記グループの識別子及び前記グループ内で前記加入者局に割り当てられたインデックス情報などを含む。例えば、前記サービスグループ加入手順は、ネットワークエントリ手順またはサービスフロー生成手順内で送信されるメッセージにサービスグループ加入を指示する情報を挿入することによって行われる。
【００７４】
以後、前記加入者局は、ステップ６０３に進んで前記サービスグループのグループデータのための固定資源割り当て情報、すなわち、固定割り当てマップが受信されるかどうかを判断する。前記固定割り当てマップは、固定資源の位置情報、大きさ情報、周期情報、ＭＩＭＯモード情報のうち、少なくとも一つ及び前記固定割り当てマップに対するフィードバック信号を送信するための資源の割り当て情報を含む。前記固定割り当てマップは、前記表１Ａおよび前記表１Ｂのように構成されることができる。追加的に、前記固定割り当てマップは、再送信有無を表す情報をさらに含むことができる。ただ、再送信の際、ユニキャスト送信を利用する場合、前記再送信有無を表す情報は省略されうる。前記表１Ａおよび前記表１Ｂは、資源割り当て情報を受信加入者局に割り当てられた固有シーケンスにエンコードするシステムを仮定した固定割り当てマップの例示である。したがって、本発明の他の実施形態によって、資源割り当て情報内に受信者に対する情報を含めるシステムの場合、前記固定割り当てマップは、グループを指示する情報、すなわち、グループ識別子をさらに含む。
【００７５】
前記固定割り当てマップが受信される場合、前記加入者局は、ステップ６０５に進んで前記固定割り当てマップに含まれた固定資源に対する割り当て情報を格納し、前記固定割り当てマップに含まれたフィードバック資源割り当て情報により指示されるフィードバック情報を介してフィードバック信号を送信する。ここで、前記フィードバック資源割り当て情報は、フィードバックチャネルの開始点情報、大きさ情報、個数情報のうち、少なくとも一つを含む。例えば、前記フィードバック資源割り当て情報は、前記表２のように構成されることができる。そして、前記加入者局に割り当てられたフィードバックチャネルは、前記サービスグループ情報に含まれたインデックスにより識別される。
【００７６】
以後、前記加入者局は、ステップ６０７に進んで前記固定資源が含まれた区間が到着しているかどうかを判断する。前記区間は、資源割り当てが行われる単位を意味し、例えば、フレームでありうる。すなわち、前記加入者局は、前記固定資源を含むフレームが到着しているかどうかを判断する。
【００７７】
前記固定資源が含まれた区間が到着すると、前記加入者局は、ステップ６０９に進んで前記固定資源を介してグループデータを受信する。換言すれば、前記加入者局は、前記固定資源を介して受信される信号を復調及びデコードすることによって、前記グループデータを獲得する。以後、前記加入者局は、ステップ６０７に戻る。
【００７８】
前記ステップ６０７にて、前記固定資源が含まれた区間が到着しない場合、前記加入者局は、ステップ６１１に進んでグループデータのための固定割り当てマップが受信されているかどうかを判断する。
【００７９】
前記固定割り当てマップが受信されると、前記加入者局は、ステップ６１３に進んで前記固定割り当てマップが重複受信された固定割り当てマップであるかどうかを判断する。前記固定割り当てマップは、再送信有無を表す情報を含んでおり、前記加入者局は、前記再送信有無を表す情報を利用して前記固定割り当てマップが予め受信されたかどうかを判断できる。すなわち、前記再送信有無を表す情報が再送信を指示する値に設定されている場合、前記加入者局は、重複受信された固定割り当てマップとして認識する。
【００８０】
前記固定割り当てマップが重複受信された固定割り当てマップである場合、前記加入者局は、ステップ６１５に進んで重複受信された固定割り当てマップを廃棄する。換言すれば、前記加入者局は、予め格納された固定割り当て情報を維持し、前記重複受信された固定割り当てマップに含まれた固定割り当て情報を無視する。
【００８１】
前記固定割り当てマップが重複受信された固定割り当てマップでない場合、前記加入者局は、ステップ６１７に進んで予め格納された固定割り当て情報を前記固定割り当てマップに含まれた新しい固定割り当て情報に更新する。以後、前記加入者局は、前記ステップ６０５に進んでフィードバック信号を送信する。
【００８２】
前記ステップ６１１ないし前記ステップ６１７は、固定割り当てマップの再送信がマルチキャスト送信であるものの再送信有無を表す情報を含む場合に行われる。すなわち、固定割り当てマップの再送信が特定加入者局へのユニキャスト送信である場合、前記ステップ６１１ないし前記ステップ６１７は省略されうる。
【００８３】
また、前記ステップ６１３にて、前記加入者局は、前記再送信有無を表す情報を介して前記固定割り当てマップが予め受信されたかどうかを判断する。しかしながら、本発明の他の実施形態によって、前記加入者局は、前記再送信有無を表す情報と共に前記固定割り当てマップの内容を以前受信された固定割り当てマップの内容と比較することによって、前記重複受信有無を判断できる。本発明のさらに他の実施形態によって、前記加入者局は、前記再送信有無を表す情報と関係なく前記固定割り当てマップの内容を以前受信された固定割り当てマップの内容と比較することによって、前記固定割り当てマップが予め受信されたかどうかを判断できる。
【００８４】
前記図６に示されていないが、前記ステップ６０３または前記ステップ６１１にて受信された固定割り当てマップが固定資源の解除を指示する場合、前記加入者局は、予め格納された固定割り当て情報を削除し、固定資源を解除する。すなわち、前記固定割り当てマップは、固定資源の新しい割り当て、変更はもちろん、解除のためにも使用されることができる。
【００８５】
前記図６を参考して説明した実施形態において、前記グループデータは、ダウンリンクデータであることを仮定した。しかしながら、前記グループデータは、Ｍ２Ｍ加入者局がＭ２Ｍサーバに提供するためのアップリンクデータでありうる。この場合、前記固定割り当てマップは、アップリンク資源の固定割り当てに対する情報を含み、前記ステップ６０９は、グループデータを送信する動作に代替される。
【００８６】
図７は、本発明の第２の実施形態にかかる機器間通信システムにおける加入者局の動作手順を示している。前記図７は、グループデータに対するフィードバックデータが送信される場合の実施形態にかかる加入者局の動作手順を示している。
【００８７】
前記図７に示すように、前記加入者局は、ステップ７０１にて機器間通信サービスグループ加入手順を介してサービスグループ情報を受信する。ここで、前記サービスグループ情報は、前記グループの識別子及び前記グループ内で前記加入者局に割り当てられたインデックス情報などを含む。例えば、前記サービスグループ加入手順は、ネットワークエントリ手順またはサービスフロー生成手順内で送信されるメッセージにサービスグループ加入を指示する情報を挿入することによって行われる。
【００８８】
以後、前記加入者局は、ステップ７０３に進んで前記サービスグループのグループデータのための固定資源割り当て情報、すなわち、固定割り当てマップが受信されるかどうかを判断する。前記固定割り当てマップは、固定資源の位置情報、大きさ情報、周期情報、ＭＩＭＯモード情報のうち、少なくとも一つ及び前記固定割り当てマップに対するフィードバック信号を送信するための資源の割り当て情報を含む。例えば、前記固定割り当てマップは、前記表１Ａおよび前記表１Ｂのように構成されることができる。追加的に、前記固定割り当てマップは、再送信有無を表す情報をさらに含むことができる。ただ、再送信の際、ユニキャスト送信を利用する場合、前記再送信有無を表す情報は省略されることができる。前記表１Ａおよび前記表１Ｂは、資源割り当て情報を受信加入者局に割り当てられた固有シーケンスにエンコードするシステムを仮定した固定割り当てマップの例示である。したがって、本発明の他の実施形態によって、資源割り当て情報内に受信者に対する情報を含めるシステムの場合、前記固定割り当てマップは、グループを指示する情報、すなわち、グループ識別子をさらに含む。
【００８９】
前記固定割り当てマップが受信されると、前記加入者局は、ステップ７０５に進んで前記固定資源が含まれた区間が到着しているかどうかを判断する。前記区間は、資源割り当てが行われる単位を意味し、例えば、フレームでありうる。すなわち、前記加入者局は、前記固定資源を含むフレームが到着しているかどうかを判断する。
【００９０】
前記固定資源が含まれた区間が到着すると、前記加入者局は、ステップ７０７に進んで前記固定資源を介してグループデータを受信する。換言すれば、前記加入者局は、前記固定資源を介して受信される信号を復調及びデコードすることで、前記グループデータを獲得する。
【００９１】
次に、前記加入者局は、ステップ７０９に進んで前記グループデータに対するフィードバックデータを送信する。ここで、前記フィードバックデータは、コンテンツ（ｃｏｎｔｅｎｔｓ）を含まない受信成功を表すビットストリームであるか、または前記グループデータに相応する情報を有するデータでありうる。ここで、前記フィードバックデータの送信は、基地局及び加入者局間の予め定義されたプロトコルに従って行われることができる。または、本発明の他の実施形態によって、前記フィードバックデータの送信は、前記ステップ７０８にてグループデータと共に受信されるフィードバック要請によって行われることができる。以後、前記加入者局は、ステップ７０５に戻る。
【００９２】
前記ステップ７０５にて、前記固定資源が含まれた区間が到着しない場合、前記加入者局は、ステップ７１１に進んでグループデータのための固定割り当てマップが受信されるかどうかを判断する。
【００９３】
前記固定割り当てマップが受信されると、前記加入者局は、ステップ７１３に進んで前記固定割り当てマップが重複受信された固定割り当てマップであるかどうかを判断する。前記固定割り当てマップは、再送信有無を表す情報を含んでおり、前記加入者局は、前記再送信有無を表す情報を介して前記固定割り当てマップが予め受信されたかどうかを判断できる。すなわち、前記再送信有無を表す情報が再送信を指示する値に設定されていると、前記加入者局は、重複受信された固定割り当てマップとして認識する。
【００９４】
前記固定割り当てマップが重複受信された固定割り当てマップである場合、前記加入者局は、ステップ７１５に進んで重複受信された固定割り当てマップを廃棄する。換言すれば、前記加入者局は、予め格納された固定割り当て情報を維持し、前記重複受信された固定割り当てマップに含まれた固定割り当て情報を無視する。
【００９５】
前記固定割り当てマップが重複受信された固定割り当てマップでない場合、前記加入者局は、ステップ７１７に進んで予め格納された固定割り当て情報を前記固定割り当てマップに含まれた新しい固定割り当て情報に更新する。以後、前記加入者局は、前記ステップ７０５に進んでフィードバック信号を送信する。
【００９６】
前記ステップ７１１ないし前記ステップ７１７は、固定割り当てマップの再送信がマルチキャスト送信であるものの再送信有無を表す情報を含む場合に行われる。すなわち、固定割り当てマップの再送信が特定加入者局へのユニキャスト送信である場合、前記ステップ７１１ないし前記ステップ７１７は省略されることができる。また、前記ステップ７１３にて、前記図６を参考して説明した多様な方式に従って、前記加入者局は、前記再送信有無を表す情報を介して前記固定割り当てマップが予め受信されたかどうかを判断できる。
【００９７】
前記図７に示されていないが、前記ステップ７０３または前記ステップ７１１にて受信された固定割り当てマップが固定資源の解除を指示する場合、前記加入者局は、予め格納された固定割り当て情報を削除し、固定資源を解除する。すなわち、前記固定割り当てマップは、固定資源の新しい割り当て、変更はもちろん、解除のためにも使用されることができる。
【００９８】
前記図７を参考して説明した実施形態において、前記グループデータは、ダウンリンクデータであると仮定した。しかしながら、前記グループデータは、Ｍ２Ｍ加入者局がＭ２Ｍサーバに提供するためのアップリンクデータでありうる。この場合、前記固定割り当てマップは、アップリンク資源の固定割り当てに対する情報を含み、前記ステップ７０９は、グループデータを受信する動作に代替される。また、グループデータがアップリンクデータであるから、前記固定割り当てマップの受信有無を確認するためのフィードバックデータは不必要であり、これにより、前記ステップ７０９は省略されることができる。
【００９９】
図８は、本発明の実施形態にかかる機器間通信システムにおける基地局のブロック構成を示している。
【０１００】
前記図８に示すように、前記基地局は、ＲＦ（Ｒａｄｉｏ  Ｆｒｅｑｕｅｎｃｙ）処理部８１０、モデム８２０、バックホール（ｂａｃｋｈａｕｌ）通信部８３０、格納部８４０、制御部８５０を備えて構成される。
【０１０１】
前記ＲＦ処理部８１０は、信号の帯域変換、増幅などのような無線チャネルを介して信号を送受信するための機能を行う。すなわち、前記ＲＦ処理部８１０は、前記モデム８２０から提供されるベースバンド信号をＲＦ帯域信号にアップコンバート（ｕｐ−ｃｏｎｖｅｒｔ）した後、アンテナを介して送信し、前記アンテナを介して受信されるＲＦ帯域信号をベースバンド信号にダウンコンバート（ｄｏｗｎ−ｃｏｎｖｅｒｔ）する。
【０１０２】
前記モデム８２０は、システムの物理階層規格に従って、ベースバンド信号からビットストリームへ、またはビットストリームからベースバンド信号へ変換する。例えば、データ送信の際、前記モデム８２０は、送信ビットストリームを符号化及び変調することによって複素シンボルを生成し、前記複素シンボルを副搬送波にマッピングした後、ＩＦＦＴ（Ｉｎｖｅｒｓｅ  Ｆａｓｔ  Ｆｏｕｒｉｅｒ  Ｔｒａｎｓｆｏｒｍ）演算及びＣＰ（Ｃｙｃｌｉｃ  Ｐｒｅｆｉｘ）挿入を介してＯＦＤＭシンボルを構成する。また、データ受信の際、前記モデム８２０は、前記ＲＦ処理部８１０から提供されるベースバンド信号をＯＦＤＭシンボル単位で分割し、ＦＦＴ（Ｆａｓｔ  Ｆｏｕｒｉｅｒ  Ｔｒａｎｓｆｏｒｍ）演算を介して副搬送波にマッピングされた信号を復元した後、復調及び復号化を介して受信ビットストリームを復元する。
【０１０３】
前記バックホール通信部８３０は、上位システムと通信を行うためのインタフェースを提供する。すなわち、前記バックホール通信部８３０は、前記基地局において上位システム、例えば、ＡＳＮ−ＧＷに送信されるビットストリームを物理的信号に変換し、前記制御局から受信される物理的信号をビットストリームに変換する。前記格納部８４０は、前記基地局の動作のための基本プログラム、アプリケーションプログラム、ユーザコンテンツなどのデータを格納する。そして、前記格納部８４０は、前記制御部８５０の要請によって格納されたデータを提供する。特に、前記格納部８４０は、Ｍ２Ｍサーバから受信されるグループデータを一時格納し、Ｍ２Ｍ加入者局のグループ加入情報を格納する。
【０１０４】
前記制御部８５０は、前記基地局の全般的な動作を制御する。例えば、前記制御部８５０は、ダウンリンクデータを構成して前記モデム８２０に提供し、前記モデム８２０から提供されるアップリンクデータを解析する。また、前記制御部８５０は、接続された加入者局に資源を割り当てる資源割り当て部８５２、Ｍ２Ｍ加入者局のグループ加入情報を管理するグループ管理部８５４を備える。特に、前記制御部８５０は、周期的に発生するグループデータを該当グループに加入したＭ２Ｍ加入者局にマルチキャストするための機能を次のように制御する。
【０１０５】
前記バックホール通信部８３０を介してＭ２Ｍサーバからグループデータ送信要請が受信されると、前記制御部８５０は、前記グループデータを送信する固定資源が割り当てられたかどうかを判断する。万が一、前記固定資源が存在しないか、又は存在するが固定資源の変更が必要な場合、前記制御部８５０は、前記グループデータのための固定資源を構成し、前記固定資源割り当て情報、例えば、固定割り当てマップを送信する。以後、前記制御部８５０は、前記モデム８２０及び前記ＲＦ処理部８１０を介して前記グループデータをマルチキャストする。
【０１０６】
また、新しい加入者局がグループに参加する場合、前記制御部８５０は、新しい前記加入者局にサービスグループ情報を提供する。新しい前記加入者局に提供されるサービスグループ情報は、サービスグループ識別子及び前記加入者局に割り当てられたインデックスを含むことができる。このとき、前記サービスグループに対する固定割り当てが提供されていると、前記制御部８５０は、新しい前記加入者局に固定割り当てマップを送信し、前記加入者局のためのフィードバック資源を割り当てる。このとき、前記固定割り当てマップは、マルチキャスト後、ＮＡＫの発生によって再送信される場合と同じ形態で送信される。以後、前記制御部８５０は、新しい前記加入者局が前記固定割り当てマップの受信に成功したかどうかを確認し、ＮＡＫの発生時に前記固定割り当てマップを再送信する。
【０１０７】
上述した固定割り当てマップ送信過程において、前記固定割り当てマップの受信の成功の有無を判断するために、前記制御部８５０は、次のように動作する。本発明の第１の実施形態によって、前記制御部８５０は、前記固定割り当てマップを送信した後、前記固定割り当てマップに対するＮＡＫが発生しているかどうかを判断する。ここで、前記ＮＡＫの発生有無は、固定割り当てマップの受信の成功に応じるフィードバック信号の受信有無によって判断されることができる。前記固定割り当てマップに対するＮＡＫが発生すると、前記制御部８５０は、前記固定割り当てマップを受信していない加入者局のために前記固定割り当てマップを再送信し、前記加入者局のためのフィードバック資源を割り当てる。または本発明の第２の実施形態によって、前記制御部８５０は、前記固定割り当てマップに対するＮＡＫ発生有無ではない前記グループデータに対するフィードバックデータを利用して、前記固定割り当てマップの受信の成功の有無を判断できる。この場合、前記制御部８５０は、グループデータをマルチキャストした後、該当サービスグループに加入したすべてのＭ２Ｍ加入者局からフィードバックデータが受信されているかどうかを確認し、少なくとも一つのＭ２Ｍ加入者局からフィードバックデータが受信されない場合、前記固定割り当てマップを再送信する。前記第１の実施形態及び前記第２の実施形態において、前記固定割り当てマップの再送信は、前記加入者局へのユニキャスト送信であるか、又はマルチキャスト送信であるものの再送信であることを知らせる情報を含む送信でありうる。
【０１０８】
図９は、本発明の実施形態にかかる機器間通信システムにおける加入者局のブロック構成を示している。
【０１０９】
前記図９に示すように、前記基地局は、ＲＦ処理部９１０、モデム９２０、格納部９３０、制御部９４０を備えて構成される。
【０１１０】
前記ＲＦ処理部９１０は、信号の帯域変換、増幅など無線チャネルを介して信号を送受信するための機能を行う。すなわち、前記ＲＦ処理部９１０は、前記モデム９２０から提供されるベースバンド信号をＲＦ帯域信号にアップコンバートした後にアンテナを介して送信し、前記アンテナを介して受信されるＲＦ帯域信号をベースバンド信号にダウンコンバートする。
【０１１１】
前記モデム９２０は、システムの物理階層規格に従って、ベースバンド信号からビットストリームに、またはビットストリームからベースバンド信号に変換する。例えば、データ送信の際、前記モデム９２０は、送信ビットストリームを符号化及び変調することによって複素シンボルを生成し、前記複素シンボルを副搬送波にマッピングした後、ＩＦＦＴ演算及びＣＰ挿入を介してＯＦＤＭシンボルを構成する。また、データ受信の際、前記モデム９２０は、前記ＲＦ処理部９１０から提供されるベースバンド信号をＯＦＤＭシンボル単位で分割し、ＦＦＴ演算を介して副搬送波にマッピングされた信号を復元した後、復調及び復号化を介して受信ビットストリームを復元する。
【０１１２】
前記格納部９３０は、前記加入者局の動作のための基本プログラム、アプリケーションプログラム、ユーザコンテンツなどのデータを格納する。そして、前記格納部９３０は、前記制御部９４０の要請によって格納されたデータを提供する。特に、前記格納部９３０は、前記加入者局が加入したサービスグループのグループデータのための固定資源に対する情報を格納する。
【０１１３】
前記制御部９４０は、前記加入者局の全般的な動作を制御する。例えば、前記制御部９４０は、ダウンリンクデータを構成して前記モデム９２０に提供し、前記モデム９２０から提供されるアップリンクデータを解析する。特に、本発明の実施形態によって、前記制御部９４０は、周期的に発生するグループデータを固定資源を介して受信するための機能を次のように制御する。
【０１１４】
前記制御部９４０は、機器間通信サービスグループ加入手順を介して基地局からサービスグループ情報を受信する。ここで、前記サービスグループ情報は、前記グループの識別子及び前記グループ内で前記加入者局に割り当てられたインデックス情報などを含む。以後、前記サービスグループのグループデータのための固定割り当てマップが受信されると、前記制御部９４０は、前記固定割り当てマップに含まれた固定資源の情報を前記格納部９３０に格納し、前記固定資源を介して周期的に前記グループデータを受信する。
【０１１５】
前記固定割り当てマップを受信した以後、また固定割り当てマップが受信されると、前記制御部９４０は、前記固定割り当てマップが重複受信された固定割り当てマップであるかどうかを判断する。例えば、前記固定割り当てマップに含まれた前記再送信有無を表す情報が再送信を指示する値に設定されていると、前記制御部９４０は、重複受信された固定割り当てマップとして認識する。前記固定割り当てマップが重複受信された固定割り当てマップである場合、前記制御部９４０は、前記固定割り当てマップを廃棄し、新しく受信された固定割り当てマップであると、制御部９４０は、予め格納された固定割り当て情報を前記固定割り当てマップに含まれた新しい固定割り当て情報に更新する。前記固定割り当てマップの再送信が特定加入者局へのユニキャスト送信である場合、上述した重複受信有無を判断し、これにより廃棄または更新する機能は排除できる。
【０１１６】
このとき、前記固定割り当てマップの受信の成功の有無を前記基地局に知らせるために、前記制御部９４０は、次の通りに動作する。本発明の第１の実施形態によって、前記制御部９４０は、前記固定割り当てマップに含まれたフィードバック資源割り当て情報により指示されるフィードバック情報を介してフィードバック信号を送信する。または本発明の第２の実施形態によって、前記制御部９４０は、前記グループデータを受信した後、前記グループデータに対するフィードバックデータを送信する。
【０１１７】
機器間通信システムにおいてグループに属した機器（ｄｅｖｉｃｅ）に同じデータを周期的に送信する場合を考慮して、前記データに対する送信資源を固定割り当て方式で割り当てることによって、複雑な放送サービス方案を使用するか、又は資源割り当てオーバーヘッドを増加させずに効果的にマルチキャストデータ送信を支援できる。
【０１１８】
適切な実施形態に対する参照と共に発明が説明された。しかしながら、当業者にとって、以下の特許請求の範囲により定義される発明の範囲から逸脱しない限度内で形態及び具体的な内容の多様な変化が可能であることは自明である。
【符号の説明】
【０１１９】
１１０  Ｍ２Ｍ加入者局
１２０  Ｍ２Ｍ基地局
１３０  アクセスサービスネットワークゲートウェイ
１４０  接続サービスネットワーク
１５０  Ｍ２Ｍサーバ
８１０  ＲＦ処理部
８２０  モデム
８３０  バックホール通信部
８４０  格納部
８５０  制御部
８５２  資源割り当て部
８５４  グループ管理部
９１０  ＲＦ処理部
９２０  モデム
９３０  格納部
９４０  制御部
【図１】
2013537378.tif 000007
【図２】
2013537378.tif 000008
【図３】
2013537378.tif 000009
【図４】
2013537378.tif 000010
【図５】
2013537378.tif 000011
【図６】
2013537378.tif 000012
【図７】
2013537378.tif 000013
【図８】
2013537378.tif 000014
【図９】
2013537378.tif 000015
【国際調査報告】
2013537378.tif 000016
2013537378.tif 000017
2013537378.tif 000018